(57)【要約】  方法は、ユーザ機器装置（ＵＥ）の媒体アクセス制御（ＭＡＣ）エンティティによって、第１のスケジューリング要求（ＳＲ）手続のための有効な物理アップリンク制御チャネル（ＰＵＣＣＨ）リソースで構成されていない第１の論理チャネルのための、前記第１のＳＲ手続をトリガするステップと、前記第１のＳＲ手続がトリガされたことに応じて、前記ＵＥの前記ＭＡＣエンティティによって、複数の手続を実施するステップと、を含み、前記複数の手続は、ランダムアクセス（ＲＡ）手続を開始するステップと、前記第１のＳＲ手続をキャンセルするステップとを含む。
2021505010.tif 000002
【特許請求の範囲】
【請求項１】
ユーザ機器装置（ＵＥ）の媒体アクセス制御（ＭＡＣ）エンティティによって、第１のスケジューリング要求（ＳＲ）手続のための有効な物理アップリンク制御チャネル（ＰＵＣＣＨ）リソースで構成されていない第１の論理チャネルのための、前記第１のＳＲ手続をトリガするステップと、
前記第１のＳＲ手続がトリガされたことに応じて、前記ＵＥの前記ＭＡＣエンティティによって、複数の手続を実施するステップと、を含み、
前記複数の手続は、
ランダムアクセス（ＲＡ）手続を開始するステップと、
前記第１のＳＲ手続をキャンセルするステップとを含む、方法。
【請求項２】
前記複数の手続は、さらに、
第２のＳＲ手続のためのＰＵＣＣＨリソースで構成されている第２の論理チャネルのためにトリガされた前記第２のＳＲ手続をキャンセルするステップを含む、請求項１に記載の方法。
【請求項３】
前記第２の論理チャネルは、前記第１の論理チャネルよりも高い優先度で構成されている、請求項２に記載の方法。
【請求項４】
前記第２の論理チャネルは、前記第１の論理チャネルよりも低い優先度で構成されている、請求項２に記載の方法。
【請求項５】
前記第２の論理チャネルは、前記第１の論理チャネルよりも低い優先度で構成されている少なくとも１つの論理チャネルを含むＳＲ構成に属する、請求項２に記載の方法。
【請求項６】
前記第２の論理チャネルは、前記第１の論理チャネルよりも高い優先度で構成されている少なくとも１つの論理チャネルを含むＳＲ構成に属する、請求項２に記載の方法。
【請求項７】
前記第２の論理チャネルおよび前記第１の論理チャネルは、同一のニューメロロジーマッピングを有するか、または、同じタイプのニューメロロジーアップリンク無線リソースを要求する、請求項２に記載の方法。
【請求項８】
コンピュータ実行可能命令が具現化されている、１または複数の非一時的なコンピュータ可読媒体と、
前記１または複数の非一時的なコンピュータ可読媒体に接続されており、前記コンピュータ実行可能命令を実行して、
第１のスケジューリング要求（ＳＲ）手続のための有効な物理アップリンク制御チャネル（ＰＵＣＣＨ）リソースで構成されていない第１の論理チャネルのための、前記第１のＳＲ手続をトリガし、
前記第１のＳＲ手続がトリガされたことに応じて、複数の手続を実施する、
ように構成されている、少なくとも１つのプロセッサとを備え、
前記複数の手続は、
ランダムアクセス（ＲＡ）手続を開始するステップと、
前記第１のＳＲ手続をキャンセルするステップとを含む、ユーザ機器（ＵＥ）。
【請求項９】
前記複数の手続は、さらに、
第２のＳＲ手続のためのＰＵＣＣＨリソースで構成されている第２の論理チャネルのためにトリガされた前記第２のＳＲ手続をキャンセルするステップを含む、請求項８に記載のＵＥ。
【請求項１０】
前記第２の論理チャネルは、前記第１の論理チャネルよりも高い優先度で構成されている、請求項９に記載のＵＥ。
【請求項１１】
前記第２の論理チャネルは、前記第１の論理チャネルよりも低い優先度で構成されている、請求項９に記載のＵＥ。
【請求項１２】
前記第２の論理チャネルは、前記第１の論理チャネルよりも低い優先度で構成されている少なくとも１つの論理チャネルを含むＳＲ構成に属する、請求項９に記載のＵＥ。
【請求項１３】
前記第２の論理チャネルは、前記第１の論理チャネルよりも高い優先度で構成されている少なくとも１つの論理チャネルを含むＳＲ構成に属する、請求項９に記載のＵＥ。
【請求項１４】
前記第２の論理チャネルおよび前記第１の論理チャネルは、同一のニューメロロジーマッピングを有するか、または、同じタイプのニューメロロジーアップリンク無線リソースを要求する、請求項９に記載のＵＥ。
【請求項１５】
ユーザ機器装置（ＵＥ）の媒体アクセス制御（ＭＡＣ）エンティティによって、条件が満たされているか否かを判定するステップと、
前記条件が満たされている場合に、少なくとも１つの第１手続を実施するステップと、を含み、
前記少なくとも１つの第１手続は、
第１のＳＲ手続のための有効な物理アップリンク制御チャネル（ＰＵＣＣＨ）リソースで構成されていない第１の論理チャネルのためにトリガされた前記第１のＳＲ手続を保留（ｐｅｎｄｉｎｇ）状態に維持するステップと、
前記条件が満たされていない場合に、複数の第２手続を実施するステップとを含み、
前記複数の第２手続は、
ランダムアクセス（ＲＡ）手続を開始するステップと、
少なくとも１つの論理チャネルのためにトリガされた、前記第１のＳＲ手続を含む少なくとも１つの選択されたＳＲ手続をキャンセルするステップとを含む、方法。
【請求項１６】
前記条件は、前記第１のＳＲ手続をトリガすることに応じて判定される、請求項１５に記載の方法。
【請求項１７】
前記少なくとも１つの第１手続は、さらに、前記第１のＳＲ手続をトリガするステップを含む、請求項１５に記載の方法。
【請求項１８】
前記条件は、第２のＳＲ手続のためのＰＵＣＣＨリソースで構成されている第２の論理チャネルのためにトリガされる前記第２のＳＲ手続を含む、請求項１５に記載の方法。
【請求項１９】
前記少なくとも１つの選択されたＳＲ手続は、第２のＳＲ手続のためのＰＵＣＣＨリソースで構成されている第２の論理チャネルのためにトリガされた前記第２のＳＲ手続を含む、請求項１５に記載の方法。
【請求項２０】
前記第２の論理チャネルは、前記第１の論理チャネルよりも高い優先度で構成されている、請求項１９に記載の方法。
【請求項２１】
前記第２の論理チャネルは、前記第１の論理チャネルよりも低い優先度で構成されている、請求項１９に記載の方法。
【発明の詳細な説明】
【技術分野】
【０００１】
（関連出願とのクロスレファレンス）
本出願は、２０１７年１１月２４日に出願された米国特許仮出願第６２／５９０３８３号、発明の名称「ＳＣＨＥＤＵＬＩＮＧ  ＲＥＱＵＥＳＴ  ＯＰＥＲＡＴＩＯＮ  ＷＩＴＨＯＵＴ  ＣＯＮＦＩＧＵＲＡＴＩＯＮ  ＩＮ  ＮＥＷ  ＲＡＤＩＯ」、代理人整理番号ＵＳ７２４０３（以下、「ＵＳ７２４０３出願」と呼ぶ）の利益および優先権を主張する。ＵＳ７２４０３出願の開示は、参照により本出願に完全に組み込まれる。
【０００２】
本開示は、概して、無線通信技術に関し、とりわけ、適応性に優れたスケジューリング要求（ＳＲ）手続のための方法およびその装置に関する。
【背景技術】
【０００３】
ロングタームエボリューション（ＬＴＥ；Long Term Evolution）無線通信システムでは、ユーザ機器（ＵＥ）は、スケジューリング要求（ＳＲ；Scheduling Request）をトリガするある条件が満たされた場合に、ＳＲ手続をトリガして、送信用のアップリンク無線リソースを割り当てるようにネットワークに要求してもよい。例えば、ＵＥが、バッファステータスリポート（ＢＳＲ；Buffer Status Report）の媒体アクセス制御（ＭＡＣ；Medium Access Control）の制御要素（ＣＥ；Control Element）を送信するためのアップリンク無線リソースを有しない場合、または、基地局からＢＳＲの肯定的なフィードバック（例えば、送信用のアップリンク無線リソースの割り当て）を受信しない場合、ＵＥは、ＳＲ手続をトリガしてもよい。さらに、ＳＲ手続が失敗すると、ランダムアクセス（ＲＡ；Random Access）手続がトリガされ、保留中のＳＲ手続がキャンセルされる。
【０００４】
次世代（例えば、第５世代（５Ｇ）新無線（ＮＲ；New Radio））の無線通信技術の場合、ＵＥの媒体アクセス制御（ＭＡＣ）エンティティは、基地局（例えば、次世代ノードＢ（ｇＮＢ））によって、ゼロ、１または複数のＳＲ構成で構成され得る。各ＳＲ構成は１つまたは複数の論理チャネル（ＬＣＨ(s)；Logical Channel(s)）に対応することができ、各ＬＣＨは、ゼロまたは１つのＳＲ構成にマッピングされ得る。ＵＥがＳＲ構成で構成されているＬＣＨのためのＳＲ手続をトリガする場合、ＵＥは、ＳＲ手続を実行するために、ＳＲ構成を使用してもよい。このＳＲ手続は、ＳＲ構成によって示されたアップリンク無線リソースを介したＳＲの送信を含む。すなわち、ＢＳＲをトリガするＬＣＨのＳＲ構成は、トリガされたＳＲ手続のための対応するＳＲ構成と見なされてもよい。しかしながら、ＳＲ構成がゼロであるＬＣＨに対するＳＲの処理は、依然、未解決の問題である。
【０００５】
したがって、当技術分野では、次世代無線通信システムにおいて、ＳＲ構成がゼロのＬＣＨにも適応できるＳＲ手続が必要とされている。
【発明の概要】
【０００６】
本開示は、適応性に優れたスケジューリング要求（ＳＲ）手続のための方法および装置を対象とする。
【０００７】
本開示の一態様において、方法が提供される。前記方法は、ユーザ機器装置（ＵＥ）の媒体アクセス制御（ＭＡＣ）エンティティによって、第１のスケジューリング要求（ＳＲ）手続のための有効な物理アップリンク制御チャネル（ＰＵＣＣＨ）リソースで構成されていない第１の論理チャネルのための、前記第１のＳＲ手続をトリガするステップと、前記第１のＳＲ手続がトリガされたことに応じて、前記ＵＥの前記ＭＡＣエンティティによって、複数の手続を実施するステップと、を含み、前記複数の手続は、ランダムアクセス（ＲＡ）手続を開始するステップと、前記第１のＳＲ手続をキャンセルするステップとを含む。
【０００８】
本開示の別の態様では、ユーザ機器（ＵＥ）が提供される。前記ＵＥは、コンピュータ実行可能命令が具現化されている、１または複数の非一時的なコンピュータ可読媒体と、
前記１または複数の非一時的なコンピュータ可読媒体に接続されている少なくとも１つのプロセッサとを備えている。該少なくとも１つのプロセッサは、前記コンピュータ実行可能命令を実行して、第１のスケジューリング要求（ＳＲ）手続のための有効な物理アップリンク制御チャネル（ＰＵＣＣＨ）リソースで構成されていない第１の論理チャネルのための、前記第１のＳＲ手続をトリガし、前記第１のＳＲ手続がトリガされたことに応じて、複数の手続を実施するように構成されている。前記複数の手続は、ランダムアクセス（ＲＡ）手続を開始するステップと、前記第１のＳＲ手続をキャンセルするステップとを含む。
【０００９】
本開示のさらに別の態様では、該方法が提供される。前記方法は、ユーザ機器装置（ＵＥ）の媒体アクセス制御（ＭＡＣ）エンティティによって、条件が満たされているか否かを判定するステップと、前記条件が満たされている場合に、少なくとも１つの第１手続を実施するステップと、を含む。前記少なくとも１つの第１手続は、第１のＳＲ手続のための有効な物理アップリンク制御チャネル（ＰＵＣＣＨ）リソースで構成されていない第１の論理チャネルのためにトリガされた前記第１のＳＲ手続を保留（ｐｅｎｄｉｎｇ）状態に維持するステップと、前記条件が満たされていない場合に、複数の第２手続を実施するステップとを含む。前記複数の第２手続は、ランダムアクセス（ＲＡ）手続を開始するステップと、少なくとも１つの論理チャネルのためにトリガされた、第１のＳＲ手続を含む少なくとも１つの選択されたＳＲ手続をキャンセルするステップとを含む。
【図面の簡単な説明】
【００１０】
例示的な開示の態様は、添付の図面と共に読まれるとき、以下の詳細な説明から最も良く理解される。様々な特徴は、一定の縮尺で描かれておらず、様々な特徴の寸法は議論を明確にするために任意に増減されてもよい。
【図１】本発明の一実施形態によるＳＲ構成マッピングの概略を示す図である。
【図２】本発明の一実施形態によるＳＲ構成マッピングの概略を示す図である。
【図３Ａ】ＳＲトリガ条件が満たされた場合に選択可能なオプションの手続を示す図である。
【図３Ｂ】ＳＲトリガ条件が満たされた場合に選択可能なオプションの手続を示す図である。
【図４】本開示の一実施形態における、ＳＲ処理のためにＵＥによって実行される方法を示すフローチャートである。
【図５】本開示の一実施形態における、ＳＲ処理のためにＵＥによって実行される方法を示すフローチャートである。
【図６】本開示の一実施形態における、ＳＲ処理のためにＵＥによって実行される方法を示すフローチャートである。
【図７】本開示の一実施形態における、ＳＲ処理のためにＵＥによって実行される方法を示すフローチャートである。
【図８】本出願の様々な態様による、無線通信のためのノードを示すブロック図である。
【発明を実施するための形態】
【００１１】
以下の説明は、本開示における典型的な実施形態に関連する特定の情報を含む。本開示における図面およびそれらの添付の詳細な説明は、単に典型的な実施形態に向けられている。しかし、本開示は、これらの典型的な実施形態のみに限定されるものではない。本開示の他の変形および実施形態は、当業者には想起されるであろう。特に断らない限り、図中の同様のまたは対応する要素は、同様のまたは対応する参照番号によって示されてもよい。さらに、本開示における図面および例示は、概して、一定の縮尺ではなく、実際の相対的な寸法に対応することを意図していない。
【００１２】
以下の説明は、本開示における例示的な実施形態に関連する特定の情報を含む。本開示における図面およびそれらの添付の詳細な説明は、単に例示的な実施形態に向けられている。しかし、本開示は、これらの例示的な実施形態のみに限定されるものではない。本開示の他の変形および実施形態は、当業者には想起されるであろう。特に断らない限り、図中の同様のまたは対応する要素は、同様のまたは対応する参照番号によって示されてもよい。さらに、本開示における図面および例示は、概して、一定の縮尺ではなく、実際の相対的な寸法に対応することを意図していない。
【００１３】
一貫性および理解の容易さのために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。
【００１４】
「１つの実施態様」、「ある実施形態」、「典型的な実施形態」、「様々な実施形態」、「いくつかの実施態様」、「本願の各実施形態」などの語句が用いられるが、このように記載された本願の１または複数の実施形態は、特定の特徴、構造、または、特色を含み得るが、本願のすべての可能な実施形態は、上述の特定の特徴、構造、または、特色を必ず含むとは限らない。また、「１つの実施態様では」または「典型的な実施形態では」という語句を繰り返し使用するが、「ある実施形態」とは、同じ実施態様を指すこともあるが、異なる実施形態を指すことがある。さらに、「本願」に関連して、「各実施形態」などの語句のいずれかを使用したからといって、それが、本願のすべての実施形態が上述の特定の特徴、構造、または、特色を含んでいなければならないという意味には決してならない。そうではなく、「各実施形態」などの語句の使用は、本願の少なくともいくつかの実施形態が上述の特定の特徴、構造、または、特色を含んでいるのだと解釈されるべきである。「結合された(coupled)」という用語は、直接的であろうと、介在する構成要素を介して間接的であろうと、接続されたものとして定義され、必ずしも物理的接続に限定されない。「〜を備える（comprising）」という用語が使用される場合、[〜を含む（include）が、必ずしもこれに限定されない]ことを意味する。特に、そのように記載された組み合わせ、グループ、シリーズ、および均等物におけるオープンエンドの包含またはメンバーシップを示す。
【００１５】
さらに、説明および非限定の目的のために、機能エンティティ、技法、プロトコル、標準などの特定の詳細が、説明される技術の理解を提供するために記載される。他の例では、不必要な詳細で説明を不明瞭にしないように、周知の方法、技術、システム、アーキテクチャなどの詳細な説明は省略される。
【００１６】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアのインプリメンテーションは、例えばメモリまたは他の種類の記憶装置などのコンピュータ読み取り可能な媒体に記憶されたコンピュータ実行可能命令を含んでもよい。例えば、通信処理能力を有する１つ以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、プログラマブルロジックアレイでできていてもよい。および／または、１つ以上のデジタルシグナルプロセッサ（ＤＳＰ）を用いてもよい。本明細書に記載されている例示的な実施態様のうちのいくつかがコンピュータハードウェアにインストールされ、該ハードウェア上で実行されるソフトウェアを対象としているが、ファームウェアとして、あるいは、ハードウェアまたはハードウェアとソフトウェアとの組み合わせとして実行される代替の例示的な実施態様は十分、本開示の範囲内である。
【００１７】
コンピュータ読み取り可能な媒体としては、ランダムアクセスメモリ（ＲＡＭ）、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ、登録商標））、フラッシュメモリ、コンパクトディスク読取り専用メモリ（ＣＤ  ＲＯＭ）、磁気カセット、磁気テープ、磁気ディスク記憶装置、またはコンピュータ読み取り可能な命令を記憶してもよい。任意の他の同等の媒体が挙げられるが、これらに限定されない。
【００１８】
無線通信ネットワークアーキテクチャ（例えば、ロングタームエボリューション（ＬＴＥ）システム、ＬＴＥアドバンスト（ＬＴＥ−Ａ）システム、またはＬＴＥアドバンストＰｒｏシステム）は、少なくとも１つの基地局、少なくとも１つのユーザ装置（ＵＥ）、およびネットワークへの接続を提供する１つ以上の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセス（Ｅ−ＵＴＲＡ）ネットワーク、次世代コア（ＮＧＣ）、またはインターネット）と、上記基地局によって設定された無線アクセスネットワーク（ＲＡＮ）を通じて、通信する。
【００１９】
本出願において、ＵＥとしては、移動局、携帯端末または携帯機器、ユーザ通信無線端末が挙げられるが、これらに限定されないことに留意されたい。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つ以上のセルと、電波インタフェース上で、信号を送受信するよう構成されている。
【００２０】
基地局は、ＵＭＴＳにおけるようなノードＢ（ＮＢ）、ＬＴＥ−Ａにおけるような発展型ノードＢ（ｅＮＢ）、ＵＭＴＳにおけるような無線ネットワークコントローラ（ＲＮＣ）、ＧＳＭ／ＧＥＲＡＮにおけるような基地局コントローラ（ＢＳＣ）、５ＧＣに関連するＥ−ＵＴＲＡ基地局におけるようなＮＧ−ｅＮＢ、５Ｇ−ＡＮにおけるような次世代ノードＢ（ｇＮＢ）、およびセル内の無線通信を制御し、無線リソースを管理することができる任意の他の装置を含むことができるが、これらに限定されない。基地局は、ネットワークへの無線インタフェースを介して１つまたは複数のＵＥにサービスを提供するように接続してもよい。
【００２１】
基地局は、以下の無線アクセス技術（ＲＡＴ）のうち少なくとも１つに従って、通信サービスを提供するように構成されてもよい。上記無線アクセス技術（ＲＡＴ）としては、マイクロ波アクセスのための世界相互運用性（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線サービス（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセスシステム（ＨＳＰＡ）、ＬＴＥ、ＬＴＥ−Ａ、ｅＬＴＥ（ｅｖｏｌｖｅｄ  ＬＴＥ）、ニューラジオ（ＮＲ、５Ｇと称されることが多い）および／またはＬＴＥ−Ａ  Ｐｒｏが挙げられる。しかし、本出願の範囲は、上述のプロトコルに限定すべきではない。
【００２２】
基地局は、無線アクセスネットワークを形成する複数のセルを使用して、特定の地理的エリアに無線カバレッジを提供するように動作可能である。基地局は、セルの動作をサポートする。各セルは、その無線カバレッジ内の少なくとも１つのＵＥにサービスを提供するように動作可能である。より具体的には、各セル（しばしばサービングセルと称される）は、その無線カバレッジ内の１つまたは複数のＵＥにサービスを提供する（例えば、各セルは、ダウンリンクおよび任意でアップリンクパケット送信のために、その無線カバレッジ内の少なくとも１つのＵＥにダウンリンクおよび任意でアップリンクリソースをスケジューリングする）。基地局は、複数のセルを介して無線通信システム内の１つまたは複数のＵＥと通信してもよい。セルは、近接サービス（ＰｒｏＳｅ）をサポートするために、サイドリンク（ＳＬ）リソースを割り当ててもよい。各セルは、他のセルと重複するカバレージ領域を有してもよい。
【００２３】
上述のように、ＮＲのフレーム構造は、高信頼性、高データ速度、および低レイテンシ要件を満たしながら、拡張モバイルブロードバンド（ｅＭＢＢ）、大規模マシンタイプ通信（ｍＭＴＣ）、超信頼通信、および低レイテンシ通信（ＵＲＬＬＣ）などの様々な次世代（例えば、５Ｇ）通信要件に対応するためのフレキシブルな構成をサポートする。３ＧＰＰで合意された直交周波数分割多重（ＯＦＤＭ）技術は、ＮＲ波形のための基準として機能してもよい。アダプティブサブキャリアスペーシング、チャネル帯域幅、およびサイクリックプレフィックス（ＣＰ）などのスケーラブルＯＦＤＭニューメロロジー（numerology）も使用してもよい。さらに、ＮＲには（１）低密度パリティ検査（ＬＤＰＣ）符号および（２）ポーラ符号の２つの符号化方式が考えられる。符号化スキーム適応は、チャネル条件および／またはサービスアプリケーションに基づいて構成され得る。
【００２４】
さらに、単一のＮＲフレームの送信時間間隔ＴＸ、ダウンリンク（ＤＬ）送信データ、ガード期間、およびアップリンク（ＵＬ）送信データが少なくとも含まれるべきであり、ＤＬ送信データ、ガード期間、ＵＬ送信データのそれぞれの部分もまた、例えば、ＮＲのネットワークダイナミクスに基づいて構成可能であるべきであると考えられる。さらに、サイドリンクリソースは、ＰｒｏＳｅサービスをサポートするためにＮＲフレームで提供されてもよい。
【００２５】
本開示の様々な実装形態では、ＵＥのＭＡＣエンティティは、基地局によって、ゼロ、１または複数のＳＲ構成で構成され得る。ＳＲ構成は、様々な帯域幅部分（ＢＷＰs；Bandwidth Parts）および／または様々なセルにおけるＳＲ送信用の１セットの物理アップリンク制御チャンネル（ＰＵＣＣＨ；Physical Uplink Control Channel）リソースを含んでいてもよい。ＳＲ送信用のＰＵＣＣＨリソースのセットは、１つまたは複数のＢＷＰおよび／またはセルにおいて割り当てられてもよい。ＬＣＨの場合、ＳＲのための多くとも１つのＰＵＣＣＨリソースが、ＢＷＰごとに構成され得る。各ＳＲ構成は、１つまたは複数のＬＣＨに対応し得る。各ＬＣＨは、ゼロまたは１つのＳＲ構成にマッピングされ得る。そのようなマッピングは、基地局（例えば、ｇＮＢ）によって、無線リソース制御（ＲＲＣ）層を介して、構成され得る。
【００２６】
図１は、本発明の一実施形態によるＳＲ構成マッピングの概略を示す図である。図１に示すように、ＵＥのＭＡＣエンティティー１００は、ｎ個のＳＲ構成で構成される。各ＳＲ構成は、少なくとも１つのＳＲ関連パラメータを含み得る。ＳＲ関連パラメータは、ＳＲ禁止タイマ（例えば、ｓｒ−ＰｒｏｈｉｂｉｔＴｉｍｅｒ）、ＳＲ手続内でＵＥによって適用されるＳＲ送信の最大数（例えば、ｓｒ−ＴｒａｎｓＭａｘ）、および／または、ＳＲ送信カウンタ（例えば、ＳＲ＿ＣＯＵＮＴＥＲ）などである。
【００２７】
１を上回る数のＬＣＨが、同じＳＲ構成で構成され得る。図１に示されるように、ＬＣＨ  ２およびＬＣＨ  ３の２つのＬＣＨが同じＳＲ構成（例えば、ＳＲ構成２）にマッピングされるので、ＳＲ禁止タイマ、最大ＳＲ送信回数、およびＳＲ送信カウンタは、ＬＣＨ  ２とＬＣＨ  ３との間で共有される。ＬＣＨ  ｘは、ＳＲ構成ｎで構成される。ＬＣＨ  ｙは、ＳＲ構成ゼロにマッピングされる。このことは、ＬＣＨ  ｙが、基地局（例えば、ｇＮＢ）によるＳＲ送信および／またはＳＲ関連パラメータのための任意のＰＵＣＣＨリソースで構成され得ないことを意味していることに留意されたい。
【００２８】
いくつかの実装形態では、ＭＡＣエンティティ内の複数のＬＣＨには、複数の優先度インデックスが割り当てられ、該複数のＬＣＨは、１つまたは複数の論理チャネルグループ（ＬＣＧ；Logical Channel Group）にグループ化してもよい。
【００２９】
図２に示すように、ＵＥのＭＡＣエンティティー２００は、複数のＬＣＨ１〜６を含む。ＬＣＨ１から６までには、それぞれ、優先度インデックス４、６、３、２、１、５が割り当てられている。ＬＣＨ  １は、ＳＲ構成１で構成されている。ＬＣＨ  ２およびＬＣＨ  ３は、ＳＲ構成２で構成されている。ＬＣＨ  ４およびＬＣＨ  ５は、ＳＲ構成３で構成されている。ＬＣＨ  ６は、いずれのＳＲ構成によっても構成されていないので、ＬＣＨ  ６は、ゼロコンフィグレーション（zero configuration）で構成されている。
【００３０】
図２に示すように、ＬＣＨ  １およびＬＣＨ  ２はＬＣＧ  １にグループ化され、ＬＣＨ３〜６はＬＣＧ  ２にグループ化される。図２に示す例では、優先度インデックスが小さいＬＣＨほど優先度が高い。例えば、ＬＣＨ  ３の優先度はＬＣＨ  ２の優先度よりも高く、これはＬＣＨ  ３の優先度インデックス（例えば３）がＬＣＨ  ２の優先度（例えば６）よりも小さいからである。本開示は、それに限定されないことが理解される。いくつかの実装形態では、優先度インデックスが小さいＬＣＨほど、優先度が低くてもよい。
【００３１】
ゼロＳＲコンフィグレーションのＬＣＨが１つまたは複数の特定のＳＲトリガ条件を満たす場合、ＵＥのＭＡＣエンティティは、状況を処理しなければならないこともある。選択肢の１つ（例えば、図３Ａに示されるオプション１）では、ＳＲトリガ条件が満たされると、ＲＡ手続は直接トリガされる。別の選択肢（例えば、図３Ｂに示すオプション２）では、ＳＲトリガ条件が満たされるとＳＲ手続がトリガされ、トリガされた該ＳＲ手続は、キャンセルされるまで保留にされる。
【００３２】
図３Ａに示すように、オプション１の手続は、動作３０２および３０４を含む。動作３０２において、ＳＲトリガ条件が満たされる。ＳＲトリガ条件は、ＵＥがＢＳＲを送信するためのアップリンク無線リソースを獲得することに失敗したこと、または、ＵＥが基地局からＢＳＲの肯定的なフィードバック（例えば、送信のためのアップリンク無線リソースの割り当て）を受信しなかったこと、であってもよい。動作３０４において、ＵＥは、ＲＡ手続をトリガする。
【００３３】
オプション１は、ＬＴＥシステムで導入されたＲＡトリガ機構に基づいている。上述のＬＴＥシステムでは、ＳＲ手続が失敗した後にＲＡ手続がトリガされる。ＳＲ手続の失敗とは、例えば、ＵＥがｓｒ−ＴｒａｎｓＭａｘ時間のＳＲを送信しており、ＢＳＲ送信のための基地局からアップリンク無線リソースを一切得ていないこと、などである。このような機構の目的は、ＵＥに、ランダムアクセスチャネル（ＲＡＣＨ；Random Access Channel）を通じてアップリンク無線リソースの許可を基地局に要請するようにすることにある。しかしながら、ＲＡ手続がトリガされると、ＵＥは、ＰＵＣＣＨ構成を解除することが起こり得る。そしてこのことは、他の保留中のＳＲ手続もキャンセルされることを意味していることに留意すべきである。
【００３４】
ＮＲシステムは、単一のＭＡＣエンティティ内で複数のＳＲ構成を支援することができ、ＭＡＣエンティティが１つよりも多くのＳＲ手続を同時に実行することを可能にする。そのため、ＲＡ手続がトリガされて、すべての保留中のＳＲ手続が取り消される場合、システム性能が低下する可能性がある。さらに、ＳＲ構成で構成されている他のＬＣＨと比較すると、ゼロＳＲコンフィグレーションのＬＣＨは、ｓｒ−ＴｒａｎｓＭａｘ時間のＳＲ送信のスキップのために、ＲＡ手続をはるかに早くトリガしてもよい。
【００３５】
図３Ｂにおいて、オプション２の手続は、動作３３２、３３４および３３６を含む。動作３３２において、ＳＲトリガ条件が満たされる。動作３３４において、ＵＥは、ＳＲ手続をトリガする。動作３３６において、ＵＥは、ＳＲ手続がキャンセルされるまで、ＳＲ手続を保留の状態に保つ。しかしながら、基地局は、ＬＣＨ  ＳＲマスキング機構（例えば、論理チャネルＳＲマスク）を介して、ある１以上のＬＣＨについてトリガされた１以上のＳＲ手続を禁止してもよい。トリガされたＳＲが全工程に亘って保留中であるので、基地局は、ゼロＳＲコンフィグレーションのＬＣＨがＳＲをトリガしたことに気付かないことがある。
【００３６】
本開示の様々な実施形態では、ＳＲ送信用の有効なＰＵＣＣＨリソースが構成されていない１以上のＬＣＨ（例えば、図１におけるＬＣＨ  ｙ）のための、適応性に優れたＳＲ手続が提供される。一実装形態では、ＳＲ送信用の有効なＰＵＣＣＨリソースで構成されていないＬＣＨが、ゼロＳＲコンフィグレーションのＬＣＨ（以下、ゼロＳＲコンフィグレーションＬＣＨ）を参照してもよい。とりわけ、基地局は、ＳＲ送信用のＰＵＣＣＨリソースがどこにあるかをＵＥに示すために、ＲＲＣメッセージ（例えば、ＲＲＣ再構成メッセージ）を介してＵＥにＳＲ構成を送信してもよい。そのため、ＬＣＨがゼロＳＲコンフィグレーションで構成されている場合、このことは、該ＬＣＨに構成される有効なＰＵＣＣＨリソースがないことも意味している。他の実装形態では、ＳＲ送信用の有効なＰＵＣＣＨリソースで構成されていないＬＣＨは、ＰＵＣＣＨリソースで構成されているＬＣＨであるが、該ＰＵＣＣＨリソースが現在アクティブなＢＷＰにはないＬＣＨを参照してもよい。
【００３７】
本開示の様々な実装形態では、ＵＥのＭＡＣエンティティは、第１のＳＲ手続のための有効なＰＵＣＣＨリソースで構成されていない第１のＬＣＨのための第１のＳＲ手続をトリガし、第１のＳＲ手続をトリガした後に複数の手続を実行してもよい。上述の複数の手続には、例えば、ＲＡ手続の開始、および、第１のＳＲ手続のキャンセルが含まれていてもよい。
【００３８】
図４は、ＵＥ（例えば、ＵＥのＭＡＣエンティティ）によって実行される、本開示のある実施形態に係るＳＲ処理の方法を示すフローチャートである。本実装形態では、ＵＥが、有効なＰＵＣＣＨリソースで構成されていないＬＣＨがＳＲトリガ条件を満たしたことを検出すると、該ＵＥは、該ＬＣＨのためのＳＲ手続をトリガし、次いで、ＲＡ手続を開始し、特定の１以上のＬＣＨのためにトリガされた選択された１以上のＳＲ手続をキャンセルしてもよい。
【００３９】
図４に示すように、フローチャートは、動作４０２、４０４、４０６および４０８を含む。動作４０２において、ＵＥは、ＳＲ送信用の有効なＰＵＣＣＨリソースで構成されていない第１のＬＣＨがＳＲトリガ条件を満たしたことを検出してもよい。一実装形態では、ＳＲトリガ条件とは、バッファのステータスが、手続が失敗したことを報告していることであってもよい。手続の失敗とは、ＵＥがＢＳＲ  ＭＡＣ  ＣＥ送信用のアップリンク無線リソースを取得できないこと、または、ＵＥが基地局からＢＳＲの肯定的なフィードバック（例えば、送信用のアップリンク無線リソースの割り当て）を受信できないことなどであってもよい。
【００４０】
動作４０４において、ＵＥは、第１のＬＣＨのための第１のＳＲ手続をトリガ（または開始）してもよい。第１のＳＲ手続がトリガされると、第１のＳＲ手続は、キャンセルされるまで保留中であると見なされる。本開示の様々な実装形態では、ＳＲ手続（例えば、第１のＳＲ手続）がトリガされる時間は、ＳＲ手続が保留（ｐｅｎｄｉｎｇ）状態に入る時間を意味し、ＳＲが実際に送信される時間という意味ではないことに留意されたい。この場合、第１のＳＲ手続が第１のＬＣＨのためにトリガされたとしても、第１のＬＣＨは第１のＳＲ手続のための有効なＰＵＣＣＨリソースで構成されていないので、ＵＥは、第１のＬＣＨのためのＳＲを送信することができない。
【００４１】
動作４０６において、ＵＥは、ＲＡ手続をトリガ（または開始）してもよい。例えば、ＲＡ手続は、（１）アップリンクプリアンブル送信、（２）ダウンリンクランダムアクセス応答（ＲＡＲ；Random Access Response）受信、（３）アップリンクＲＲＣメッセージ送信、および（４）ダウンリンクＲＲＣメッセージ受信を含む４ステップ手続であってもよい。
【００４２】
動作４０８において、ＵＥは、特定の１以上のＬＣＨのためにトリガされた保留中の１以上のＳＲ手続をキャンセルしてもよい。本開示の様々な実装形態によれば、特定の１以上のＬＣＨとは、以下に示すうちの少なくともいずれか１つに該当してもよい：
（ａ）    同じＭＡＣエンティティ内のすべてのＬＣＨ（例えば、図２に示すＬＣＨ１〜６）；
（ｂ）    同じＬＣＧ内のすべてのＬＣＨ（例えば、図２に示すＬＣＨ３〜６）；
（ｃ）    ゼロＳＲコンフィグレーションＬＣＨよりも優先度が低いすべてのＬＣＨ（例えば、図２に示すＬＣＨ  ２）；
（ｄ）    ゼロＳＲコンフィグレーションＬＣＨよりも優先度が高いすべてのＬＣＨ（例えば、図２に示すＬＣＨ  １、３、４、および５）；
（ｅ）    ゼロＳＲコンフィグレーションＬＣＨよりも優先度が低いＬＣＨを少なくとも１つ含むＬＣＧに属するすべてのＬＣＨ（例えば、図２に示すＬＣＨ  １および２）；
（ｆ）    ゼロＳＲコンフィグレーションＬＣＨよりも優先度が高いＬＣＨを少なくとも１つ含むＬＣＧに属するすべてのＬＣＨ（例えば、図２に示すＬＣＨ  １〜５）；
（ｇ）    ゼロＳＲコンフィグレーションＬＣＨよりも優先度が低いＬＣＨを少なくとも１つ含むＳＲ構成に属するすべてのＬＣＨ（例えば、図２に示すＬＣＨ  ２および３）；
（ｈ）    ゼロＳＲコンフィグレーションＬＣＨよりも優先度が高いＬＣＨを少なくとも１つ含むＳＲ構成に属するすべてのＬＣＨ（例えば、ＳＲ構成１、２、および３のＬＣＨ  １〜５）；
（ｉ）    同一のニューメロロジーマッピングを有するか、または、同じタイプのニューメロロジーアップリンク無線リソースを要求するすべてのＬＣＨ；および、
（ｊ）    ゼロＳＲコンフィグレーションＬＣＨ（例えば、図２に示すＬＣＨ  ６）。
【００４３】
なお、上述したゼロＳＲコンフィグレーションＬＣＨは、保留中のＳＲのための有効なＰＵＣＣＨリソースで構成されていないＬＣＨ（例えば、第１のＬＣＨ）に置き換えが可能であるというこに留意されたい。例えば、図３に示すように、ＵＥは、ＲＡ手続を開始し、第１のＳＲ手続をトリガした後に、第１のＬＣＨのためにトリガされた第１のＳＲ手続を取り消してもよい。
【００４４】
図５は、ＵＥ（例えば、ＵＥのＭＡＣエンティティ）によって実行される、本開示のある実施形態に係るＳＲ処理の方法を示すフローチャートである。本実施形態では、有効なＰＵＣＣＨリソースで構成されていないＬＣＨがＳＲトリガ条件を満たしたことをＵＥが検出すると、該ＵＥは、ＲＡ手続を直接トリガし、特定の１以上のＬＣＨについてトリガされた保留中の１以上のＳＲ手続をキャンセルしてもよい。
【００４５】
図５に示すように、フローチャートは、動作５０２、５０４、および５０６を含む。動作５０２において、ＵＥは、ＳＲ送信用の有効なＰＵＣＣＨリソースで構成されていない第１のＬＣＨがＳＲトリガ条件を満たしたことを検出する。例えば、ＳＲトリガ条件とは、バッファのステータスが、手続が失敗したことを報告していることであってもよい。
【００４６】
次に、動作５０４において、ＵＥは、ＲＡ手続を直接トリガする。動作５０６において、ＵＥは、特定の１以上のＬＣＨのためにトリガされた保留中の１以上のＳＲ手続をキャンセルしてもよい。特定の１以上のＬＣＨの例としては、図４に示す動作４０８において記載されたものと同じであってもよい。
【００４７】
いくつかの実装形態では、基地局（例えば、ｇＮＢ）が、ＬＣＨを、いずれのＳＲ構成も用いない構成（例えば、ゼロＳＲコンフィグレーション）としてもよい一方で、追加の情報要素（ＩＥ；Information Element）である「ｌｏｇｉｃａｌＣｈａｎｎｅｌＲＡ−Ｐｒｏｈｉｂｉｔ」が、上述のＬＣＨに追加されてもよい。このＩＥはブール値であってもよい。例えば、ＩＥ＝「０」は、ＬＣＨに対して、対応するＢＳＲ  ＭＡＣ  ＣＥをさらに送信するためにＲＡ手続をトリガすることを許可したことを意味する。一方、ＩＥ＝「１」は、ＬＣＨ（例えば、ゼロＳＲコンフィグレーションを有するＬＣＨ）に対して、ＬＣＨがＳＲ手続をトリガしても、ＲＡ手続をトリガすることを禁止したことを意味する。ＬＣＨのためのＳＲ手続がトリガされると、ＳＲ手続は保留になる。そして、該ＳＲ手続は、他のＬＣＨがアップリンク無線リソースを取得するか、または、ＢＳＲ  ＭＡＣ  ＣＥをさらに送信するためにＲＡ手続を成功裏にトリガする場合にのみ、取り消されてもよい。この場合、ＬＣＨの必要なアップリンク無線リソースは、ＢＳＲ  ＭＡＣ  ＣＥに付加されてもよい。コアネットワーク（ＣＮ；Core Network）および基地局は、ＬＣＨのための関連するＱｏＳフローに基づいて、ＩＥ「ｌｏｇｉｃａｌＣｈａｎｎｅｌＲＡ−Ｐｒｏｈｉｂｉｔ」の設定を決定するために、互いに調整してもよい。
【００４８】
図６は、ＵＥ（例えば、ＵＥのＭＡＣエンティティ）によって実行される、本開示のある実施形態に係るＳＲ処理の方法を示すフローチャートである。本実施形態では、有効なＰＵＣＣＨリソースで構成されていないＬＣＨがＳＲトリガ条件を満たしたことをＵＥが検出すると、ＵＥは、ＬＣＨのためのＳＲ手続をトリガしてもよい。ＵＥは、特定の条件が満たされているかどうかをさらにチェックしてもよい。上述の特定の条件が満たされている場合、ＵＥは、１以上の第１の手続を実施してもよい。第１の手続には、例えば、キャンセルされるまでＳＲ手続の保留を維持することが含まれる。上述の特定の条件が満たされていない場合、ＵＥは、１以上の第２の手続を実施してもよい。第２の手続には、例えば、ＲＡ手続を開始すること、および、特定の１以上のＬＣＨのためにトリガされた選択された１以上のＳＲ手続をキャンセルすることが含まれる。
【００４９】
図６に示すように、フローチャートは、動作６０２、６０４、６０６、６０８、６１０および６１２を含む。動作６０２において、ＵＥは、ＳＲ送信用の有効なＰＵＣＣＨリソースで構成されていない第１のＬＣＨがＳＲトリガ条件を満たしたことを検出する。例えば、ＳＲトリガ条件とは、バッファのステータスが、手続が失敗したことを報告していることであってもよい。
【００５０】
動作６０４において、ＵＥは、第１のＬＣＨのための第１のＳＲ手続をトリガする。
【００５１】
動作６０６において、ＵＥは、特定の条件が満たされているかどうかをチェックする。本開示の様々な実施形態によれば、上述の特定の条件とは、以下のうちのいずれか１つであってもよい：
（１）    同じＭＡＣエンティティ内の１以上のＳＲ構成で構成されている１以上のＬＣＨ（例えば、図２に示すＬＣＨ  １〜５）についてトリガされる他の保留中のＳＲ手続がないこと；
（２）    第１のＬＣＨよりも優先度が低く、同じＭＡＣエンティティ内の１以上のＳＲ構成で構成されている１以上のＬＣＨ（例えば、図２に示すＬＣＨ  ２）についてトリガされる他の保留中のＳＲ手続がないこと；
（３）    第１のＬＣＨよりも優先度が高く、同じＭＡＣエンティティ内の１以上のＳＲ構成で構成されている１以上のＬＣＨ（例えば、図２に示すＬＣＨ  １、３、４および５）についてトリガされる他の保留中のＳＲ手続がないこと；および、
（４）    同じＬＣＧ内の１以上のＳＲ構成で構成されている１以上のＬＣＨ（例えば、図２に示すＬＣＨ  ３、４および５）についてトリガされる他の保留ＳＲ手続がないこと。
【００５２】
動作６０８において、特定の条件が満たされる場合、ＵＥは、第１のＳＲ手続の保留を維持してもよい。
【００５３】
特定の条件が満たされない場合、動作６１０において、ＵＥは、ＲＡ手続をトリガしてもよい。そして、動作６１２において、ＵＥは、特定の１以上のＬＣＨのためにトリガされた保留中の１以上のＳＲ手続をキャンセルしてもよい。上述の特定の１以上のＬＣＨの具体例としては、図４に示す動作４０８に記載されたものと同じであってもよい。
【００５４】
本実施形態によれば、第１のＳＲ手続を保留の状態に維持することは、ＵＥは第１のＬＣＨのために基地局にいずれのＳＲも送信しない、ということを意味するので、第１のＬＣＨのためのアップリンク無線リソース要件は、基地局によって通知されなくてもよい。しかしながら、同じＭＡＣエンティティ内のＳＲ構成で構成されているＬＣＨについてトリガされた他の保留中のＳＲ手続がある限り、第１のＬＣＨが静かなままであっても、ＵＥには、アップリンク無線リソースが許可されるチャンスが依然としてある。例えば、図１に示すように、ＬＣＨ  ｙがＳＲ手続をトリガすると、ＳＲ手続は、保留の状態で維持されてもよい。なぜなら、他の１以上のＬＣＨ  １〜ｘがすでに、該ＬＣＨの１以上のＳＲ手続をトリガした可能性があるからである。
【００５５】
図７は、ＵＥ（例えば、ＵＥのＭＡＣエンティティ）によって実行される、本開示のある実施形態に係るＳＲ処理の方法を示すフローチャートである。本実装形態では、有効なＰＵＣＣＨリソースで構成されていないＬＣＨがＳＲトリガ条件を満たしたことをＵＥが検出すると、ＵＥは、特定の条件が満たされているかどうかをチェックしてもよい。この特定の条件が満たされている場合、ＵＥは、１以上の第１の手続を実施してもよい。第１の手続には、例えば、ＬＣＨのためのＳＲ手続をトリガすること、および、キャンセルされるまでＳＲ手続の保留を維持することが含まれる。上述の特定の条件が満たされていない場合、ＵＥは、１以上の第２の手続を実施してもよい。第２の手続には、例えば、ＲＡ手続を開始すること、および、特定の１以上のＬＣＨのためにトリガされた選択された１以上のＳＲ手続をキャンセルすることが含まれる。
【００５６】
図７に示すように、フローチャートは、動作７０２、７０４、７０６、７０８、７１０および７１２を含む。動作７０２において、ＵＥは、ＳＲ送信用の有効なＰＵＣＣＨリソースで構成されていない第１のＬＣＨがＳＲトリガ条件を満たしたことを検出する。例えば、ＳＲトリガ条件とは、バッファのステータスが、手続が失敗したことを報告していることであってもよい。
【００５７】
動作７０４において、ＵＥは、特定の条件が満たされているかどうかをチェックする。動作７０４は、図６に示す動作６０６と実質的に同じ（または対応している）動作であってもよい。
【００５８】
上述の特定の条件が満たされている場合、動作７０６において、ＵＥは、第１のＬＣＨのための第１のＳＲ手続をトリガしてもよい。動作７０８において、ＵＥは、第１のＳＲ手続の保留の状態を維持してもよい。
【００５９】
上述の特定の条件が満たされていない場合、動作７１０において、ＵＥは、ＲＡ手続をトリガしてもよい。動作７１２において、ＵＥは、特定の１以上のＬＣＨのためにトリガされた保留中の１以上のＳＲ手続をキャンセルしてもよい。上述の特定の１以上のＬＣＨの具体例としては、図４に示す動作４０８に記載されたものと同じであってもよい。
【００６０】
一実施形態では、基地局（例えば、ｇＮＢ）は、ＲＡ保留タイマを、ゼロＳＲコンフィグレーションＬＣＨに対して設定してもよい。ＲＡ保留タイマは、ゼロＳＲコンフィグレーションＬＣＨ単位で、基地局によって設定されてもよい。ゼロＳＲコンフィグレーションＬＣＨがＳＲ手続をトリガし、ＳＲ手続を保留すると、ＲＡ保留タイマがトリガされる。ＳＲ手続は、ＲＡ保留タイマが実行されている間、保留の状態に維持されてもよい。ＲＡ保留タイマが満了すると、例えば、図４に示す動作４０８で導入されたように、ゼロＳＲコンフィグレーションＬＣＨは、ＲＡ手続をトリガしてもよく、１以上の特定のＬＣＨのためにトリガされた１以上のＳＲ手続をキャンセルしてもよい。
【００６１】
他の実装形態では、ＲＡ保留タイマは、ＭＡＣエンティティ単位で、基地局（例えば、ｇＮＢ）によって設定される。ゼロＳＲコンフィグレーションＬＣＨがＳＲ手続をトリガし、ＳＲ手続を保留すると、ＲＡ保留タイマがまだ実行されていない場合には、ＲＡ保留タイマがトリガされる。ＳＲ手続がトリガされたときにＲＡ保留タイマが実行されている場合には、ゼロＳＲコンフィグレーションＬＣＨのそれぞれについてトリガされたすべてのＳＲ手続は、ＲＡ保留タイマが満了する前に保留の状態に維持されてもよい。ＲＡ保留タイマが満了すると、例えば図４の動作４０８で導入されたように、ＵＥは、ＲＡ手続をトリガしてもよく、特定の１以上のＬＣＨのためにトリガされた１以上のＳＲ手続をキャンセルしてもよい。ＵＥがゼロＳＲコンフィグレーションＬＣＨのためのＢＳＲ  ＭＡＣ  ＣＥを送信するためにアップリンク無線リソースを獲得する場合、ゼロＳＲコンフィグレーションＬＣＨのためにトリガされた保留中のＳＲはキャンセルされてもよく、ＲＡ保留タイマは停止されてもよい。上述のゼロＳＲコンフィグレーションＬＣＨは、ＳＲ送信用の有効なＰＵＣＣＨリソースで構成されていないＬＣＨ（例えば、第１のＬＣＨ）に置き換え可能であることに留意されたい。
【００６２】
図８は、本出願の様々な態様に係る、無線通信のためのノードを示すブロック図である。図８に示すように、ノード８００は、トランシーバ８２０、プロセッサ８２６、メモリ８２８、ひとつまたは複数の表示コンポーネント８３４、および少なくとも一つのアンテナ８３６を備える。ノード８００はまた、ＲＦスペクトル帯域モジュール、基地局通信モジュール、ネットワーク通信モジュール、およびシステム通信管理モジュール、入力／出力（Ｉ／Ｏ）ポート、Ｉ／Ｏコンポーネント、および電源（図８には明示的に示されていない）を含み得る。これらの構成要素のそれぞれは、１つまたは複数のバス８３４を介して、直接または間接的に、互いに通信してもよい。一実施形態では、ノード８００は、ＵＥまたは基地局であってもよい。該ＵＥまたは基地局は、例えば、図１〜７を参照してここで説明されたさまざまな機能を実施する。
【００６３】
送信機８２２（例えば、送信／伝送回路）および受信機８２４（例えば、受信／受付回路）を備えるトランシーバ８２０は、時間および／または周波数リソース分割情報を送信および／または受信するように構成され得る。いくつかの実施形態では、トランシーバ８２０は、使用可能、使用不可能、および柔軟に使用可能なサブフレームおよびスロットフォーマットを含むが、これらに限定されない、様々なタイプのサブフレームおよびスロットで送信するように構成され得る。トランシーバ８２０は、データおよび制御チャネルを受信するように構成され得る。
【００６４】
ノード８００は、様々なコンピュータ可読媒体を備えることができる。コンピュータ可読媒体は、ノード８００によってアクセスされ得る任意の利用可能な媒体であって、揮発性媒体および不揮発性媒体の両方を含んでいてもよいし、取り外し可能な媒体および取り外し不可能な媒体の両方を含んでいてもよい。例えば、これには限定されないが、コンピュータ可読媒体は、コンピュータ記憶媒体、および、通信媒体を含んでいてもよい。コンピュータ記憶媒体は、コンピュータが読み取り可能な情報を記憶するための任意の方法または技術において導入されている媒体である、揮発性媒体および不揮発性媒体の両方を含んでいてもよいし、取り外し可能な媒体および取り外し不可能な媒体の両方を含んでいてもよい。
【００６５】
コンピュータ記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、コンピュータ読み取り可能命令、データ構造、プログラムモジュール、または他のデータを、搬送波または他のトランスポート機構などの変調データ信号で具現化し、任意の情報配信媒体を含む。「変調データ信号」という用語は、信号内の情報を符号化するような方法で設定または変更された１以上の特性を有する信号を意味する。例えば、これに限定されないが、通信媒体は、有線ネットワーク、直接有線接続のような有線媒体、ならびに、音響、ＲＦ、赤外線およびその他の無線媒体などの無線媒体を含んでもよい。上記のいずれの組合せもコンピュータ可読媒体の範囲内に含められるべきである。
【００６６】
メモリ８２８は、揮発性および／または不揮発性メモリの形態のコンピュータ記憶媒体を含むことができる。メモリ８２８は、取り外し可能、取り外し不能、またはそれらの組み合わせであってもよい。例示的なメモリは、ソリッドステートメモリ、ハードドライブ、光ディスクドライブなどを含む。図８に示すように、メモリ８２８は、コンピュータ可読コンピュータ実行可能命令８３２（例えば、ソフトウェアコード）を格納してもよい。命令８３２は、実行されると、プロセッサ８２６に、例えば図１〜７を参照してここで説明された様々な機能を実行させるように構成されている。あるいは、命令８３２は、プロセッサ８２６によって直接実行可能ではなく、ノード８００に（例えば、コンパイルされ実行されるときに）ここで説明される様々な機能を実行させるように構成されてもよい。
【００６７】
例えば、演算回路を有するプロセッサ８２６は、インテリジェントハードウェアデバイス、例えば、中央処理装置（ＣＰＵ）、マイクロコントローラ、ＡＳＩＣなどを含み得る。プロセッサ８２６は、メモリを含むことができる。プロセッサ８２６は、メモリ８２８から受信したデータ８３０および命令８３２、ならびにトランシーバ８２０、ベースバンド通信モジュール、および／またはネットワーク通信モジュールを介した情報を処理してもよい。プロセッサ８２６は、アンテナ８３６を介した、コアネットへの送信に対応したネットワーク通信モジュールに向けての送信のためにトランシーバ８２０に送信されるべき情報を処理してもよい。
【００６８】
１つまたは複数の表示コンポーネント８３４は、個人または他のデバイスにデータ表示を提示する。例示的な１つまたは複数の表示コンポーネント８３４は、表示デバイス、スピーカー、印刷コンポーネント、振動コンポーネントなどを含む。
【００６９】
上記の説明から、様々な技術が、これらの概念の範囲から逸脱することなく、本出願で説明される概念を実行するために使用され得ることが明らかである。さらに、概念は、特定の実施形態を特に参照して説明されてきたが、当業者は、それらの概念の範囲から逸脱することなく、形態および詳細において変更を行うことができることを認識するであろう。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【図１】
2021505010.tif 000003
【図２】
2021505010.tif 000004
【図３Ａ】
2021505010.tif 000005
【図３Ｂ】
2021505010.tif 000006
【図４】
2021505010.tif 000007
【図５】
2021505010.tif 000008
【図６】
2021505010.tif 000009
【図７】
2021505010.tif 000010
【図８】
2021505010.tif 000011
【国際調査報告】
2021505010.tif 000012
2021505010.tif 000013